【事件の表示】
　特許第３０９９８２７号「投写型表示装置」の請求項１、２に係る特許に対する特許異議の申立てについて、次のとおり決定する。
【結　論】
　訂正を認める。
　特許第３０９９８２７号の請求項１に係る特許を維持する。
【理　由】
１．手続の経緯
　特許第３０９９８２７号の請求項１及び２に係る発明についての出願は、平成６３年５月１７日の特許出願である特願昭６３−１１９９２０号の一部を平成９年４月２８日に新たな特許出願としたものである特願平９−１１１４７２号の一部を平成１１年１月１８日に新たな特許出願としたものである特願平１１−９７９０号の一部をさらに平成１１年１２月２０日に新たな特許出願としたものであり、平成１２年８月１８日にその発明について特許権の設定登録がなされ、その特許について、異議申立人村田博より特許異議の申立てがなされ、その指定期間内である平成１３年８月２７日に訂正請求がなされたものである。
２．訂正の適否についての判断
（１）訂正の内容
ア．訂正事項ａ　
　特許請求の範囲の請求項１を、
　「【請求項１】　各々色光を変調する３つの液晶ライトバルブと、
　前記３つの液晶ライトバルブによって変調された光を合成するプリズムと、
を備えた投写型表示装置であって、
　前記３つの液晶ライトバルブ及び前記プリズムの下部から離れた位置に配置された冷却ファンと、
　前記３つの液晶ライトバルブの下部に配置された基台と、
　前記冷却ファンからの風を前記基台へ導く導風構造と、を備え、
　前記基台の上部には、前記冷却ファンにより発生された風が収束されて、前記３つの液晶ライトバルブを通風するように形成された通風孔を有してなることを特徴とする、投写型表示装置。」と訂正する。
イ．訂正事項ｂ
　特許請求の範囲の請求項２を、削除する。
ウ．訂正事項ｃ
　発明の詳細な説明の段落番号【０００６】の記載を、
「　　【０００６】
    【課題を解決するための手段】
　上記問題点を解決するために、本発明の投写型表示装置は、各々色光を変調する３つのライトバルブと、前記３つの液晶ライトバルブによって変調された光を合成するプリズムと、を備えた投写型表示装置であって、前記３つの液晶ライトバルブ及び前記プリズムの下部から離れた位置に配置された冷却ファンと、前記３つの液晶ライトバルブの下部に配置された基台と、前記冷却ファンからの風を前記基台へ導く導風構造と、を備え、前記基台の上部には、前記冷却ファンにより発生された風が収束されて、前記３つの液晶ライトバルブを通風するように形成された通風孔を有してなることを特徴とする。」と訂正する。
（２）訂正の目的の適否、新規事項の有無及び拡張・変更の存否
　上記訂正事項ａは、投写型表示装置を特定する事項である「前記３つの液晶ライトバルブ及び前記プリズムの下部から離れた位置に冷却ファンが配置されており、前記冷却ファンからの風を導風構造によって前記液晶ライトバルブの方へ導くことにより、前記液晶ライトバルブが冷却されてなる」をさらに限定して、「前記３つの液晶ライトバルブ及び前記プリズムの下部から離れた位置に配置された冷却ファンと、前記３つの液晶ライトバルブの下部に配置された基台と、前記冷却ファンからの風を前記基台へ導く導風構造と、を備え、前記基台の上部には、前記冷却ファンにより発生された風が収束されて、前記３つの液晶ライトバルブを通風するように形成された通風孔を有してなる」とするものであり、しかも、これは、願書に添付された明細書の段落【０００８】〜【０００９】及び図１〜図４に記載されているから、特許請求の範囲の減縮を目的とした明細書の訂正に該当し、また、新規事項の追加に該当せず、実質的に特許請求の範囲を拡張又は変更するものではない。
　上記訂正事項ｂは、請求項を削除するものであるから、特許請求の範囲の減縮を目的とした明細書の訂正に該当し、新規事項の追加に該当せず、実質的に特許請求の範囲を拡張又は変更するものではない。
  上記訂正事項ｃは、上記訂正事項ａとの整合を図るように発明の詳細な説明の欄を訂正するものであるから、明瞭でない記載の釈明を目的とした明細書の訂正に該当し、新規事項の追加に該当せず、実質的に特許請求の範囲を拡張又は変更するものではない。
（３）結論　
　したがって、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書及び第２項の規定に適合するので、当該訂正を認める。
３．特許異議申立てについて
（１）本件発明
　本件の請求項１に係る発明（以下、本件発明という）は、平成１３年８月２７日付けの訂正明細書の特許請求の範囲の請求項１に記載されたとおりのものである。
（２）申立ての理由の概要
　特許異議申立人は、甲第１〜５号証刊行物を提出して、本件の請求項１及び２に係る発明は、いずれも甲第１〜５号証刊行物に各々記載された発明に基づいて当業者が容易に発明をすることができたものであるから、特許法第２９条第２項の規定に違反して特許されたものであって、その特許は取り消されるべきものである旨主張する。
（３）刊行物に記載された発明
刊行物１：実願昭６１−１４７２３４号（実開昭６３−５４１３７号）のマイクロフィルム（甲第１号証）
　「第３図〜第５図は前記表示装置３０を示したもので、この表示装置３０は、表示パネル冷却器３１と、この表示パネル冷却器３１の一面に取付けられた表示ユニット４０とからなっている。」（第７頁第１９行〜第８頁第２行）
　「表示ユニット４０は、両面に液晶表示パネル４３と対応する透光窓４２ａ，４２ｂを設けた極薄ケース状のハウジング４１内に液晶表示パネル４３とその表示駆動回路基板４４とを収納したもので、・・・・」（第１０頁第１６〜１９行）
　「・・・・この上部仕切り壁１１ｂと集光用フレネルレンズ２３および下部仕切り壁１１ａによって、冷却空気を前記表示ユニット４０の前面に沿わせて流すための制風壁１１が構成されている。
　また、プロジェクタケース１０の下面には、前記光源装置５０の配置部と、光源装置５０と表示装置３０との間の部分と、表示装置３０の配置部と、前記制風壁１１より前方の部分とに、それぞれ吸気孔１２ａ，１２ｂ，１２ｃ，１２ｄが設けられており、前記制風壁１１の下部・・・・には、制風壁１１より前方の吸気孔１２ｄから取入れた空気を制風壁１１と表示ユニット４０との間の空気通路に導入する空気孔１３が設けられている。さらに、プロジェクタケース１０の上部には、前記断熱壁７０の上壁部の上方に位置させて、モータ７２によって回転される送風ファン７３が設けられており、この部分のプロジェクタケース１０の上面には排気孔１４，１４が設けられている。」（第１８頁第７行〜第１９頁第４行）
　「吸気孔１２ｄから取入れられた冷却空気は、制風壁１１の下部の設けた通気孔１３から制風壁１１と表示ユニット４０との間に導入され、表示ユニット４０をその前面側から冷却するとともに、集光用フレネルレンズ２３も冷却する。」（第１９頁第１８行〜第２０頁第２行）
　また、第１〜５図には、液晶表示パネルの冷却手段を備えた液晶プロジェクタが示されている。
　以上の記載からすれば、刊行物１には、「プロジェクタケース内に光源装置と液晶表示パネルを備えた表示ユニットを含む表示装置とを有し、プロジェクタケースの上部に設けられた送風ファンによりプロジェクタケースの下部に設けられた吸気孔から取入れられた冷却空気を表示ユニットの前面に沿わせて流すための制風壁を備えた液晶プロジェクタ」が記載されているものと認められる。
刊行物２：特開昭６３−１０１２８号公報（甲第２号証）
　「画像形成のための三枚の液晶ライトバルブと、光の三原色への色分離及び色合成を行なうダイクロイックミラー系と、投写光源と投写レンズからなる投写型カラー表示装置において、色分離された三原色の色光を変調する液晶ライトバルブと、変調された色光を合成するダイクロイックプリズムを装着したことを特徴とする投写型カラー表示装置。」（特許請求の範囲）
　「こうして、三原色に分離された色光のうち、赤と青の色光は、反射ミラー７により光路を曲げ、緑の色光はそのままで液晶ライトバルブ８Ｒ，８Ｇ，８Ｂに入射する。」（第２頁左下欄第７〜１０行）
　「液晶ライトバルブ８Ｒ，８Ｇ，８Ｂで画像形成された各色光は、ダイクロイックプリズム９で、赤光及び青光は反射し、緑光は透過して、フルカラー画像が合成される。」（第３頁左下欄第２〜５行）
　また、第１及び５図には、投写型カラー表示装置の構成が示されている。
刊行物３：特開昭６２−２２２２１９号公報（甲第３号証）
　「・・・・ツイステッドネマテック液晶ライトバルブを３枚用い、図１の光学系構成にて投射型表示装置を得た。楕円球面ミラーを具備するハロゲンランプ１からの光をコリメートレンズ２にてコリメート光とし熱線反射フィルター３を通し色分離用ダイクロイツクプリズム４にてＲ，Ｇ，Ｂ成分に分離しミラー５を介してＲ，Ｇ，Ｂ成分用ライトバルブ９，７，８に入射させる。・・・・上記ライトバルブにて画像を形成後、色合成用ダイクロイツクプリズム６にて色合成し投射レンズ１０を通してスクリーン上に投射される。」（第３頁右上欄第１〜１３行）
　また、第１図には、投射型表示装置の光学系が概略図で示されている。
刊行物４：実願昭６０−２３７８９号（実開昭６１−１４０３４４号）のマイクロフィルム（甲第４号証）
　「また、２７は前記テレビジョン受像機挿入口１３からテレビジョン受像機挿入部に挿入される携帯用小型液晶テレビジョン受像機３０の表示ユニット３２を空冷する表示ユニット冷却器であり、この表示ユニット冷却器２７は、前記テレビジョン受像機挿入部の側方に位置させてケース１１内に設けられている。この表示ユニット冷却器２７は、ケース１１外に開口する吸気口を有する器体内に送風ファンを設けたもので、この表示ユニット冷却器２７のテレビジョン受像機挿入部に対向する前面には、前記携帯用小型液晶テレビジョン受像機３０の表示ユニット３２に向けて冷却空気を吹付ける偏平な冷却空気吹出口２８が設けられている。」（第６頁第２〜１４行）
　また、第３図には、液晶テレビジョン受像機の表示ユニットの側方に表示ユニット冷却器が設けられた液晶プロジェクタの構成が示されている。
刊行物５：実公昭６３−１５８５２号公報（甲第５号証）
　「上記固定部２ａの端面には空気取入口６が突設されている。この空気取入口６は、上記コネクタ部ｄに設けられいる送気孔ｃ１に挿脱されるようになっている。なお上記送気孔ｃ１には送気チューブｃ２を介して送気ポンプｃ３が接続されている。」（第１頁第２欄第２６行〜第２頁第３欄第３行）
　「このフイルムｈの出し入れ口に排気口１４が形成されるようになっている。そして投影機本体２内には上記排気口１４と空気取入口６とに連通する送気通路１５が形成されている。」（第２頁第３欄第１１〜１６行）
　「・・・・送気ポンプｃ３を作動させ、空気を送気孔ｃ１に送給する。この空気は空気取入口６から取り入れられて送気通路１５を通り、フイルム収容部１２に導かれてフイルムｈを冷却し、排気口１４から出てゆく。」（第２頁第３欄第２１〜２６行）
　また、第３図には、送気ポンプ、送気チューブ及び送気孔を有する投影器の構成が示されている。
（４）当審の判断
　本件発明と、刊行物１に記載のものとを対比すると、刊行物１に記載のものにおける「液晶表示パネル」、「送風ファン」、「冷却空気を流す」、「制風壁」、「液晶プロジェクタ」は、それぞれ本件発明における「液晶ライトバルブ」、「冷却ファン」、「風を導く」、「導風構造」、「投写型表示装置」に相当し、本件発明と刊行物１に記載のものとは、「液晶ライトバルブを備え、冷却ファンと、冷却ファンからの風を導く導風構造とを備えた投写型表示装置」である点において共通するが、次の点において相違する。
ａ．本件発明は、投写型表示装置が各々色光を変調する３つの液晶ライトバルブと、３つの液晶ライトバルブによって変調された光を合成するプリズムとを備えたものであるのに対し、刊行物１に記載された液晶プロジェクタは、第１〜５図及びその説明からすれば、液晶表示パネルが１つであって、色光を合成するプリズムを備えていない点。
ｂ．本件発明において、冷却ファンが３つの液晶ライトバルブ及びプリズムの下部から離れた位置に配置されているのに対し、刊行物１に記載のものにおいては、送風ファンがプロジェクタケースの上部に設けられている点。
ｃ．本件発明において、３つの液晶ライトバルブの下部に基台が配置され、導風構造が冷却ファンからの風を基台に導き、基台の上部には、冷却ファンにより発生された風が収束されて、３つの液晶ライトバルブを通風するように形成された通風孔を有しているのに対し、刊行物１においては、液晶プロジェクタがこのような基台及び通風孔を有することについて記載されていない点。
　そこで、上記相違点について検討する。
相違点ａについて：
　３つの液晶ライトバルブによって変調された光をプリズムにより合成する投写型表示装置は刊行物２及び３に示されるように周知のものであると言えるが、その場合に液晶ライトバルブをどのように冷却するかについては、刊行物２及び３においては何ら示唆するところがない。
相違点ｂについて：
　本件発明は、冷却ファンが風上側に配置され、冷却ファンからの風を液晶ライトバルブの方へ導くことにおいては、刊行物４及び５に記載のものと同様であると言えるが、刊行物４及び５に記載のものにおいては、冷却のための風を下から上方へ導いていない。冷却のための風を下から上方へ導くことは、冷却を行って熱せられた空気が自然対流により上方へ向かうものであることに対応するものであることからすれば、刊行物４及び５に記載のものはいずれも、冷却ファンを３つの液晶ライトバルブ及びプリズムの下部から離れた位置に配置して冷却のための風を下から上方に導くことを示唆するものではない。
相違点ｃについて：
　本件発明の３つの液晶ライトバルブの下部に配置された基台は冷却ファンから導風構造によって導かれた風が収束されて、３つのライトバルブを通風するように形成された通風孔を有するものであるが、この点は刊行物２〜５に各々記載のものにおいて何ら示唆するところはない。
　このように、相違点ｂ，ｃは刊行物２〜５に各々記載のものにおいて示唆するところはない。
　しかるに、本件発明はこの相違点を含む構成により明細書に記載のような格別な効果を奏するものである。
　したがって、本件発明は、刊行物１〜５に各々記載された発明に基づいて当業者が容易に発明をすることができたものではない。
４．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１３年９月５日（２００１．９．５）
【訂正の要旨】
（３）訂正事項
▲１▼　特許請求の範囲の請求項１を、
「【請求項１】　各々色光を変調する３つの液晶ライトバルブと、
　前記３つの液晶ライトバルブによって変調された光を合成するプリズムと、
　を備えた投写型表示装置であって、
　前記３つの液晶ライトバルブ及び前記プリズムの下部から離れた位置に
配置された冷却ファンと、
　
前記３つの液晶ライトバルブの下部に配置された基台と、
　
前記冷却ファンからの風を前記基台へ導く導風構造と、を備え、
前記基台の上部には、前記冷却ファンにより発生された風が収束されて、前記３つの液晶ライトバルブを通風するように形成された通風孔を有し
▲２▼　特許請求の範囲の請求項２を、削除する。
▲３▼　発明の詳細な説明の段落番号【０００６】の記載を、
「　　【０００６】
　【課題を解決するための手段】
　上記問題点を解決するために、本発明の投写型表示装置は、各々色光を変調する３つの液晶ライトバルブと、前記３つの液晶ライトバルブによって変調された光を合成するプリズムと、を備えた投写型表示装置であって、前記３つの液晶ライトバルブ及び前記プリズムの下部から離れた位置に
配置された冷却ファンと、前記３つの液晶ライトバルブの下部に配置された基台と、前記冷却ファンからの風を前記基台へ導く導風構造と、を備え、前記基台の上部には、前記冷却ファンにより発生された風が収束されて、前記３つの液晶ライトバルブを通風するように形成された通風孔を有し
（５４）【発明の名称】
投写型表示装置
（５７）【特許請求の範囲】
　【請求項１】　各々色光を変調する３つの液晶ライトバルブと、
　前記３つの液晶ライトバルブによって変調された光を合成するプリズムと、
　を備えた投写型表示装置であって、
　前記３つの液晶ライトバルブ及び前記プリズムの下部から離れた位置に
配置された冷却ファンと、
　
前記３つの液晶ライトバルブの下部に配置された基台と、
　
前記冷却ファンからの風を前記基台へ導く導風構造と、を備え、
　
前記基台の上部には、前記冷却ファンにより発生された風が収束されて、前記３つの液晶ライトバルブを通風するように形成された通風孔を有し
【発明の詳細な説明】
　【０００１】
　【発明の属する技術分野】
　本発明は、液晶ライトバルブにより形成した画像を、投写レンズにより拡大投写する投写型の表示装置に関する。
　【０００２】
　【従来の技術】
　従来は、図７の光学系ユニット外観側面図に示すように、例えば液晶ライトバルブ３Ｂを平板のガイド板１９Ｂに取り付け、プリズム固定板２０及び基台２１によってガイド板１９Ｂを固定した光学系の下部に、冷却手段２２を配した光学系ユニットを用いた表示装置が知られていた。
　【０００３】
　【発明が解決しようとする課題】
　しかし、従来の光学系ユニットにおいて、例えば冷却手段として冷却ファンを吹き付け式として用いた場合、図８に矢印で示すように風が生じ、液晶ライトバルブ３Ｂ，３Ｇに付帯された入射側偏光板の表面を風が流れ、液晶ライトバルブ３Ｂ，３Ｇに付帯する入射側偏光板を冷却はするものの、冷却効率は低レベルのものであった。
　【０００４】
　そこで、この冷却効率において冷却能力を向上するためには冷却ファンの冷却能力を向上する必要があり、冷却ファンを大型化しなければならず、それは表示装置の大型化につながる。又、冷却ファンを大型化する事なく従来の冷却効率において使用する場合、これを原因として表示装置の出射光束の向上が困難となるという問題点も有していた。
　【０００５】
　そこで、本発明はこのような問題点を解決するもので、その目的とするところは、冷却ファンの冷却能力を最大限に引き出し、軽薄短小にして高出射光束の投写型表示装置を提供することにある。
　【０００６】
　【課題を解決するための手段】
　上記問題点を解決するために、本発明の投写型表示装置は、各々色光を変調する３つの液晶ライトバルブと、前記３つの液晶ライトバルブによって変調された光を合成するプリズムと、を備えた投写型表示装置であって、前記３つの液晶ライトバルブ及び前記プリズムの下部から離れた位置に
配置された冷却ファンと、前記３つの液晶ライトバルブの下部に配置された基台と、前記冷却ファンからの風を前記基台へ導く導風構造と、を備え、前記基台の上部には、前記冷却ファンにより発生された風が収束されて、前記３つの液晶ライトバルブを通風するように形成された通風孔を有し
　【０００７】
　【発明の実施の形態】
　以下に、本発明の実施例を図面に基づいて説明する。図１は、本発明の実施例の基本構成を表す平面図である。図１において、光源１を出射した光は、光学系手段の１例である光導波管２内で選択反射特性を有するミラー等により赤，緑，青の３原色に分光されて導かれ、液晶ライトバルブ３Ｒ，３Ｇ，３Ｂによってそれぞれの色に対応し電気光学変調を受けた後、プリズム４によって合成され、投写レンズ５によって前方のスクリーン上に拡大投写される。
　【０００８】
　液晶ライトバルブ３Ｒ，３Ｇ，３Ｂは、その確実な固定及び調整のために中央部に窓及び下方部に導風構造を有するガイド板６Ｒ，６Ｇ，６Ｂにそれぞれ取り付けられて固定される。冷却ファン７は、液晶ライトバルブ３Ｒ，３Ｇ，３Ｂ及びプリズム４の下部に取り付けられ、下部より吹き付け式として液晶ライトバルブ３Ｒ、３Ｇ，３Ｂに係る偏光板を冷却する。基台８は、冷却ファン７を完全に包含しうる形状を有し、その上面にしてガイド板６Ｒ，６Ｇ，６Ｂの導風構造との相対位置（図１中の斜線部）に通風孔を有する。図２は、本発明の実施例における光学系ユニットの外観側面図であり、図中の光軸ＡーＡによる縦断面図を図３に示す。図３において、説明は赤色用液晶ライトバルブ３Ｒ及びその周辺構造についてのみ行うが、構造的には緑色用液晶ライトバルブ３Ｇ，青色用液晶ライトバルブ３Ｂの周辺構造についても全く同様である。液晶ライトバルブ３Ｒは、ネジによって液晶ライトバルブプレート１１Ｒに締結され、液晶ライトバルブプレート１１Ｒをネジによってガイド板６Ｒに締結し、ガイド板６Ｒをネジによってアッププレート１４に締結することにより保持される。液晶ライトバルブ３Ｒは、画像表示のためにその前後に偏光板１２Ｒ及び１３Ｒを配する必要があり、本例においては液晶ライトバルブ３Ｒに対して光の入射側の偏光板１２Ｒをガイド板６Ｒのプリズム４側の面に貼り付け、液晶ライトバルブ３Ｒに対して光の出射側の偏光板１３Ｒをプリズム４に貼りつける。ガイド板６Ｒは中央部に光の入射用の窓１５Ｒを有し、その下部に導風構造１０Ｒを有する。一方、基台８は、冷却ファン７を包含するのみならず、アッププレート１４との間でプリズム４を保持し、アッププレート１４に保持されている液晶ライトバルブ３Ｒ及びその周辺構造を保持する。
　【０００９】
　基台８は又、その上部の導風構造１０Ｒとの相対位置に通風孔９Ｒを有し、冷却ファン７によって生じた風をその通風孔９Ｒに収束させる。通風孔９Ｒに収束した風は真上に吹き上る風と冷却ファン７の回転中心から外へ逃げようとする風とに別れ、前者は液晶ライトバルブ３Ｒと出射側偏光板１３Ｒとの間及び液晶ライトバルブ３Ｒと入射側偏光板１２Ｒとの間を通り偏光板１２Ｒ，１３Ｒ表面の熱を奪ってアッププレート１４に設けられた穴より上部に吹き抜ける。後者はガイド板６Ｒに設けられた導風構造１０Ｒによってその方向を偏光板１２Ｒ方向に変えられ、ガイド板６Ｒの中央の光の入射用窓１５Ｒを通って偏光板１２Ｒ表面の熱を奪い、偏光板１２Ｒによって方向を変えられて外部へ吹き抜ける。これらの風の流れを模式的に表すと図４のようになる。光の入射側偏光板１２Ｒはその偏光作用のために光の熱を約６０％吸収し表面温度が特に上昇するが、上記のようにその表面と裏面を効率的に冷却することによって偏光特性を損なうことを防止できる。昨今、軽薄短小にして高出射光束の表示装置の要求が強まるにつれて、小型の冷却ファンによって効率よく液晶ライトバルブに係る偏光板を冷却する本例は益々有効となる。
　【００１０】
　今後益々表示装置の軽薄短小化が進む時、図５に示す本例の基台８に変えて、図６に示すような薄型の基台１６を用い、液晶ライトバルブの下部から冷却ファン１８を切り離し、導風管１７によって冷却ファン１８からの風をレンズ方向から基台１６に送り込むと、本例と同様な風の流れが考えられ、表示装置の軽薄短小化に非常に有効である。
　【００１１】
　【発明の効果】
　本発明は、以上説明したように、３つの液晶ライトバルブ及びプリズムの下部から離れた位置に冷却ファンが配置されており、冷却ファンからの風を導風構造によって液晶ライトバルブの方へ導くことで液晶ライトバルブが冷却されることにより、小型化された装置を実現できると共に、液晶液晶ライトバルブを高温下に晒すことなく、軽量短小にして高出射光束の表示装置を実現できるのである。
【図面の簡単な説明】
　【図１】
　本発明の実施例を表わす基本構成図。
　【図２】
　本発明の実施例における光学系ユニットの外観側面図。
　【図３】
　図２における縦断面図。
　【図４】
　風の流れを表わす模式図。
　【図５】
　本発明の実施例における基台の模式図。
　【図６】
　別の実施例における基台及ビ冷却ファンの構成図。
　【図７】
　従来の光学系ユニットの外観側面図。
　【図８】
　従来の光学系ユニットにおける風の流れを表す模式図。
　【符号の説明】
　１・・・光源
　２・・・光導波管
　３Ｒ，３Ｇ，３Ｂ・・・液晶ライトバルブ
　４・・・プリズム
　５・・・投写レンズ
　６Ｒ，６Ｇ，６Ｂ・・・ガイド板
　７・・・冷却ファン
　８・・・基台
　９Ｒ，９Ｂ・・・通風孔
　１０Ｒ，１０Ｂ・・・導風構造
　１１Ｒ，１１Ｂ・・・入射側偏光板
　１２Ｒ，１２Ｂ・・・出射側偏光板
　１４・・・アッププレート
　１５Ｒ，１５Ｂ・・・入射窓